(57)【要約】【課題】光ピックアップの動作不良が発生するのを抑制することが可能な光ディスク装置を提供する。【解決手段】この光ディスク装置は、光ディスク２０の記録面２０ａに対する傾角を調節することが可能なようにドライブシャーシ１に取り付けられるサブガイド部材５と、ドライブシャーシ１に搭載され、サブガイド部材５と当接する受け部８ｂを有するとともに、サブガイド部材５にガイドされながら光ディスク２０の記録面２０ａに対して平行な方向に往復移動する光ピックアップ６と、サブガイド部材５に取り付けられ、サブガイド部材５と当接する光ピックアップ６の受け部８ｂを付勢することにより光ピックアップ６の振動を抑制する板ばね１０とを備えている。【選択図】図１
2008090928.tif 000002
【特許請求の範囲】
【請求項１】
ディスク状の記録媒体を回転させるターンテーブルが取り付けられるドライブシャーシと、前記記録媒体の記録面に対して平行な方向に沿って延びるように前記ドライブシャーシに取り付けられるガイド部材と、前記ドライブシャーシに搭載され、前記ガイド部材と当接する受け部を有するとともに、前記ガイド部材にガイドされながら前記記録媒体の記録面に対して平行な方向に往復移動する光ピックアップと、前記光ピックアップを付勢することにより前記光ピックアップの振動を抑制する付勢部材とを備えた光ディスク装置において、
前記ガイド部材は、前記記録媒体の記録面に対する傾角を調節することが可能なように前記ドライブシャーシに取り付けられており、
前記付勢部材は、前記ガイド部材に取り付けられているとともに、前記光ピックアップが往復移動する方向に沿って連続して延びるように形成されており、かつ、前記ガイド部材と当接する前記光ピックアップの受け部を付勢することにより前記光ピックアップの振動を抑制するように構成され、
前記付勢部材は、前記光ピックアップの受け部を付勢する第１付勢部と、前記ドライブシャーシと前記ガイド部材との間に配置された第２付勢部とを有し、前記ガイド部材の前記記録媒体の記録面に対する傾角の調節は、前記付勢部材の第２付勢部のたわみ量を調節することにより行われ、
前記光ピックアップの受け部は、互いに対向するように配置された第１の面および第２の面を有し、前記光ピックアップの受け部の第１の面は、前記ガイド部材と当接するとともに、前記光ピックアップの受け部の第２の面は、前記付勢部材に付勢されることを特徴とする光ディスク装置。
【請求項２】
ディスク状の記録媒体を回転させるターンテーブルが取り付けられるドライブシャーシと、
前記記録媒体の記録面に対する傾角を調節することが可能なように、かつ、前記記録媒体の記録面に対して平行な方向に沿って延びるように前記ドライブシャーシに取り付けられるガイド部材と、
前記ドライブシャーシに搭載され、前記ガイド部材と当接する受け部を有するとともに、前記ガイド部材にガイドされながら前記記録媒体の記録面に対して平行な方向に往復移動する光ピックアップと、
前記ガイド部材に取り付けられ、前記ガイド部材と当接する前記光ピックアップの受け部を付勢することにより前記光ピックアップの振動を抑制する付勢部材とを備えていることを特徴とする光ディスク装置。
【請求項３】
前記付勢部材は、前記光ピックアップが往復移動する方向に沿って連続して延びるように形成されていることを特徴とする請求項２に記載の光ディスク装置。
【請求項４】
前記付勢部材は、前記光ピックアップの受け部を付勢する第１付勢部と、前記ドライブシャーシと前記ガイド部材との間に配置された第２付勢部とを有し、
前記ガイド部材の前記記録媒体の記録面に対する傾角の調節は、前記付勢部材の第２付勢部のたわみ量を調節することにより行われることを特徴とする請求項２または３に記載の光ディスク装置。
【請求項５】
前記光ピックアップの受け部は、互いに対向するように配置された第１の面および第２の面を有し、
前記光ピックアップの受け部の第１の面は、前記ガイド部材と当接するとともに、前記光ピックアップの受け部の第２の面は、前記付勢部材に付勢されることを特徴とする請求項２〜４のいずれかに記載の光ディスク装置。
【発明の詳細な説明】
【技術分野】
【０００１】
この発明は、光ディスク装置に関し、特に、光ピックアップを備えた光ディスク装置に関する。
【背景技術】
【０００２】
従来、光ディスクへのデータの書き込み動作や光ディスクからのデータの読み出し動作を行う光ピックアップを備えた光ディスク装置が知られている（たとえば、特許文献１〜４参照）。
【０００３】
上記特許文献１〜４には、所定方向（光ディスクの記録面に対して平行な方向）に移動可能に構成された光ピックアップと、その光ピックアップの所定方向への移動をガイドするガイド部材とを含む光ディスク装置が開示されている。なお、上記特許文献１〜４において、光ピックアップは、所定のシャーシに搭載されているとともに、ガイド部材は、光ピックアップが搭載される所定のシャーシに対して固定されている。また、光ディスクは、所定のシャーシに取り付けられたターンテーブルに装着される。
【０００４】
しかしながら、上記特許文献１〜４では、ガイド部材が所定のシャーシに対して固定されているため、光ディスクの記録面に対するガイド部材の傾角を調節するのが困難であるという不都合がある。このため、光ディスク装置の製造工程において組み付け誤差などが生じた場合に、ガイド部材にガイドされながら光ディスクの記録面に対して平行な方向に移動する光ピックアップの動作不良が発生する場合がある。
【０００５】
そこで、従来では、光ディスクの記録面に対するガイド部材の傾角を調節することが可能な光ディスク装置が提案されている。
【０００６】
図７は、従来の提案された光ディスク装置の光ピックアップ周辺の構造を示した平面図である。図８は、図７の１５０−１５０線に沿った断面図である。図９は、図７の１６０−１６０線に沿った断面図であり、図１０は、図７の１７０−１７０線に沿った断面図である。次に、図７〜図１０を参照して、従来の提案された光ディスク装置の光ピックアップ周辺の構造について説明する。
【０００７】
従来の光ディスク装置では、図７に示すように、ドライブシャーシ１０１の所定領域にスピンドルモータ１０２が取り付けられているとともに、そのスピンドルモータ１０２の回転軸１０２ａにターンテーブル１０３が取り付けられている。また、ドライブシャーシ１０１には、メインガイド部材１０４およびサブガイド部材１０５が取り付けられている。このメインガイド部材１０４およびサブガイド部材１０５は、丸棒部材によって構成されている。
【０００８】
そして、従来の光ディスク装置では、サブガイド部材１０５（メインガイド部材１０４）の光ディスク１２０の記録面１２０ａに対する傾角の調節は、サブガイド部材１０５（メインガイド部材１０４）の両端部のＢ方向（光ディスク１２０の記録面１２０ａに対して垂直な方向）の位置を調節することによって行われる。
【０００９】
具体的には、図７および図８に示すように、サブガイド部材１０５は、その両端部が調節ねじ１１１を介してドライブシャーシ１０１に取り付けられている。また、サブガイド部材１０５の両端部には、サブガイド部材１０５の両端部をＢ方向（光ディスク１２０の記録面１２０ａに対して垂直な方向）に付勢するためのねじりコイルばね１１２が１つずつ嵌め込まれている。そして、サブガイド部材１０５の光ディスク１２０の記録面１２０ａに対する傾角の調節は、調節ねじ１１１のねじ込み量を調節することにより、ねじりコイルばね１１２のたわみ量を調節することによって行われる。また、傾角調節後のサブガイド部材１０５の両端部のＢ方向（光ディスク１２０の記録面１２０ａに対して垂直な方向）の位置は、ねじりコイルばね１１２の付勢力によって保持される。なお、メインガイド部材１０４の傾角調節機構は、上記したサブガイド部材１０５の傾角調節機構と同様である。
【００１０】
また、図７に示すように、ドライブシャーシ１０１には、Ａ方向（光ディスク１２０の記録面１２０ａに対して平行な方向）に移動可能に構成された光ピックアップ１０６が搭載されている。この光ピックアップ１０６は、レーザ光を光ディスク１２０の記録面１２０ａに集光させるための対物レンズ１０７や、その対物レンズ１０７が装着されるピックアップベース１０８などの部品によって構成されている。ピックアップベース１０８のメインガイド部材１０４側には、２つの軸受部１０８ａが設けられている。そして、メインガイド部材１０４は、ピックアップベース１０８の２つの軸受部１０８ａに挿入されている。その一方、ピックアップベース１０８のサブガイド部材１０５側には、１つの受け部１０８ｂが設けられている。このピックアップベース１０８の受け部１０８ｂは、図８および図９に示すように、Ｂ方向（光ディスク１２０の記録面１２０ａに対して垂直な方向）に互いに対向するように配置された２つの内面１０８ｃおよび１０８ｄを有するＵ字状に形成されている。そして、サブガイド部材１０５の一部は、ピックアップベース１０８の受け部１０８ｂの内側に配置されているとともに、受け部１０８ｂの一方の内面１０８ｃと当接している。
【００１１】
また、図７に示すように、ドライブシャーシ１０１のメインガイド部材１０４側の領域には、ピックアップベース１０８のメインガイド部材１０４側に連結されたギア部（図示せず）と、そのギア部に連結されたフィードモータ１０９とが取り付けられている。すなわち、フィードモータ１０９の駆動力は、ギア部を介してピックアップベース１０８に伝達される。そして、従来の光ディスク装置では、フィードモータ１０９の駆動力がピックアップベース１０８に伝達されることによって、光ピックアップ１０６がＡ方向（光ディスク１２０の記録面１２０ａに対して平行な方向）に移動される。また、光ピックアップ１０６のＡ方向（光ディスク１２０の記録面１２０ａに対して平行な方向）への移動は、メインガイド部材１０４およびサブガイド部材１０５によってガイドされる。
【００１２】
また、従来の光ディスク装置では、図７、図８および図１０に示すように、サブガイド部材１０５とピックアップベース１０８との間に、光ピックアップ１０６をＢ方向（光ディスク１２０の記録面１２０ａに対して垂直な方向）に付勢するための板ばね１１０が設けられている。この板ばね１１０は、ピックアップベース１０８に対して取り付けられているとともに、受け部１０８ｂから離れた位置に配置されている。なお、板ばね１１０は、光ピックアップ１０６をＢ方向（光ディスク１２０の記録面１２０ａに対して垂直な方向）に付勢することにより、Ａ方向（光ディスク１２０の記録面１２０ａに対して平行な方向）に移動する光ピックアップ１０６が振動するのを抑制する機能を有している。
【００１３】
【特許文献１】特開平７−２３５０６３号公報
【特許文献２】特開２００２−１１７６３４号公報
【特許文献３】特開２００４−２２０５４号公報
【特許文献４】特開２００５−１３５４６３号公報
【発明の開示】
【発明が解決しようとする課題】
【００１４】
しかしながら、上記した従来の提案された光ディスク装置では、光ピックアップ１０６のサブガイド部材１０５と当接する部分と、光ピックアップ１０５の板ばね１１０に付勢される部分とが離れているため、以下のような不都合が生じる。
【００１５】
すなわち、従来の光ディスク装置では、図１１に示すように、サブガイド部材１０５がＣ方向に傾くように調節した場合、板ばね１１０から光ピックアップ１０６に加わるＢ方向の付勢力が大きくなるため、その板ばね１１０から加わる大きい付勢力が光ピックアップ１０６のＡ方向への移動の妨げになるという不都合が生じる。その一方、サブガイド部材１０５がＣ方向とは反対方向に傾くように調節した場合、板ばね１１０から光ピックアップ１０６に加わるＢ方向の付勢力が小さくなるため、Ａ方向に移動する光ピックアップ１０６の振動が大きくなるという不都合が生じる。その結果、従来の光ディスク装置では、光ディスク１２０の記録面１２０ａに対するサブガイド部材１０５の傾角を調節した場合に、光ピックアップ１０６に加わる板ばね１１０の付勢力が予め設定された値から大きく外れることに起因して、光ピックアップ１０６の動作不良が発生するという問題点がある。
【００１６】
この発明は、上記のような課題を解決するためになされたものであり、この発明の目的は、光ピックアップの動作不良が発生するのを抑制することが可能な光ディスク装置を提供することである。
【課題を解決するための手段】
【００１７】
上記目的を達成するために、この発明の第１の局面による光ディスク装置は、ディスク状の記録媒体を回転させるターンテーブルが取り付けられるドライブシャーシと、記録媒体の記録面に対して平行な方向に沿って延びるようにドライブシャーシに取り付けられるガイド部材と、ドライブシャーシに搭載され、ガイド部材と当接する受け部を有するとともに、ガイド部材にガイドされながら記録媒体の記録面に対して平行な方向に往復移動する光ピックアップと、光ピックアップを付勢することにより光ピックアップの振動を抑制する付勢部材とを備えた光ディスク装置において、ガイド部材は、記録媒体の記録面に対する傾角を調節することが可能なようにドライブシャーシに取り付けられており、付勢部材は、ガイド部材に取り付けられているとともに、光ピックアップが往復移動する方向に沿って連続して延びるように形成されており、かつ、ガイド部材と当接する光ピックアップの受け部を付勢することにより光ピックアップの振動を抑制するように構成され、付勢部材は、光ピックアップの受け部を付勢する第１付勢部と、ドライブシャーシとガイド部材との間に配置された第２付勢部とを有し、ガイド部材の記録媒体の記録面に対する傾角の調節は、付勢部材の第２付勢部のたわみ量を調節することにより行われ、光ピックアップの受け部は、互いに対向するように配置された第１の面および第２の面を有し、光ピックアップの受け部の第１の面は、ガイド部材と当接するとともに、光ピックアップの受け部の第２の面は、付勢部材に付勢される。
【００１８】
この第１の局面による光ディスク装置では、上記のように、ドライブシャーシに取り付けられるガイド部材を、記録媒体の記録面に対する傾角を調節することが可能なように構成することによって、光ディスク装置の製造工程において組み付け誤差などが生じたとしても、記録媒体の記録面に対するガイド部材の傾角を調節することができるので、ガイド部材にガイドされながら記録媒体の記録面に対して平行な方向に往復移動する光ピックアップの動作不良が発生するのを抑制することができる。この場合、付勢部材をガイド部材に取り付けるとともに、ガイド部材と当接する光ピックアップの受け部を付勢部材で付勢することによって、光ピックアップのガイド部材と当接する部分と、光ピックアップの付勢部材に付勢される部分とを近づけることができる。したがって、記録媒体の記録面に対するガイド部材の傾角を調節したとしても、光ピックアップ（受け部）に加わる付勢部材の付勢力が変動するのを抑制することができる。これにより、記録媒体の記録面に対するガイド部材の傾角を調節した場合に、光ピックアップ（受け部）に加わる付勢部材の付勢力が予め設定された値から大きく外れることに起因して、光ピックアップの動作不良が発生するという不都合が生じるのを抑制することができる。また、光ピックアップが往復移動する方向に沿って連続して延びるように形成された付勢部材を用いることによって、光ピックアップが所定位置からその所定位置以外の位置に移動したとしても、付勢部材による光ピックアップに対する付勢を連続して行うことができる。また、光ピックアップの受け部を付勢する第１付勢部と、ガイド部材の傾角調節のための第２付勢部とを有する付勢部材を用いることによって、ガイド部材の傾角調節のための付勢部材を別途設ける必要がないので、部品点数が増加するのを抑制することができる。また、互いに対向するように配置された第１の面および第２の面を有する受け部を含む光ピックアップを用いるとともに、光ピックアップの受け部の第１の面がガイド部材と当接し、光ピックアップの受け部の第２の面が付勢部材に付勢されるように構成することによって、容易に、光ピックアップの受け部をガイド部材と当接させながら、光ピックアップの受け部を付勢部材で付勢することができる。また、光ピックアップのガイド部材と当接する部分と、光ピックアップの付勢部材に付勢される部分とを容易に近づけることができる。
【００１９】
この発明の第２の局面による光ディスク装置は、ディスク状の記録媒体を回転させるターンテーブルが取り付けられるドライブシャーシと、記録媒体の記録面に対する傾角を調節することが可能なように、かつ、記録媒体の記録面に対して平行な方向に沿って延びるようにドライブシャーシに取り付けられるガイド部材と、ドライブシャーシに搭載され、ガイド部材と当接する受け部を有するとともに、ガイド部材にガイドされながら記録媒体の記録面に対して平行な方向に往復移動する光ピックアップと、ガイド部材に取り付けられ、ガイド部材と当接する光ピックアップの受け部を付勢することにより光ピックアップの振動を抑制する付勢部材とを備えている。
【００２０】
この第２の局面による光ディスク装置では、上記のように、ドライブシャーシに取り付けられるガイド部材を、記録媒体の記録面に対する傾角を調節することが可能なように構成することによって、光ディスク装置の製造工程において組み付け誤差などが生じたとしても、記録媒体の記録面に対するガイド部材の傾角を調節することができるので、ガイド部材にガイドされながら記録媒体の記録面に対して平行な方向に往復移動する光ピックアップの動作不良が発生するのを抑制することができる。この場合、付勢部材をガイド部材に取り付けるとともに、ガイド部材と当接する光ピックアップの受け部を付勢部材で付勢することによって、光ピックアップのガイド部材と当接する部分と、光ピックアップの付勢部材に付勢される部分とを近づけることができる。したがって、記録媒体の記録面に対するガイド部材の傾角を調節したとしても、光ピックアップ（受け部）に加わる付勢部材の付勢力が変動するのを抑制することができる。これにより、記録媒体の記録面に対するガイド部材の傾角を調節した場合に、光ピックアップ（受け部）に加わる付勢部材の付勢力が予め設定された値から大きく外れることに起因して、光ピックアップの動作不良が発生するという不都合が生じるのを抑制することができる。
【００２１】
上記第２の局面による光ディスク装置において、好ましくは、付勢部材は、光ピックアップが往復移動する方向に沿って連続して延びるように形成されている。このように構成すれば、光ピックアップが所定位置からその所定位置以外の位置に移動したとしても、付勢部材による光ピックアップ（受け部）に対する付勢を連続して行うことができる。
【００２２】
上記第２の局面による光ディスク装置において、好ましくは、付勢部材は、光ピックアップの受け部を付勢する第１付勢部と、ドライブシャーシとガイド部材との間に配置された第２付勢部とを有し、ガイド部材の記録媒体の記録面に対する傾角の調節は、付勢部材の第２付勢部のたわみ量を調節することにより行われる。このように構成すれば、ガイド部材の傾角調節のための付勢部材を別途設ける必要がないので、部品点数が増加するのを抑制することができる。
【００２３】
上記第２の局面による光ディスク装置において、好ましくは、光ピックアップの受け部は、互いに対向するように配置された第１の面および第２の面を有し、光ピックアップの受け部の第１の面は、ガイド部材と当接するとともに、光ピックアップの受け部の第２の面は、付勢部材に付勢される。このように構成すれば、容易に、光ピックアップの受け部をガイド部材に当接させながら、光ピックアップの受け部を付勢部材で付勢することができる。また、光ピックアップのガイド部材と当接する部分と、光ピックアップの付勢部材に付勢される部分とを容易に近づけることができる。
【発明の効果】
【００２４】
以上のように、本発明によれば、光ピックアップの動作不良が発生するのを抑制することが可能な光ディスク装置を容易に得ることができる。
【発明を実施するための最良の形態】
【００２５】
図１は、本発明の一実施形態による光ディスク装置の光ピックアップ周辺の構造を示した平面図である。図２は、図１の５０−５０線に沿った断面図であり、図３は、図１の６０−６０線に沿った断面図である。図４は、図３に示した光ピックアップの受け部周辺の拡大図である。図５は、図１の７０−７０線に沿った断面図である。図６は、図１に示した一実施形態による光ディスク装置の光ピックアップをガイドするサブガイド部材の斜視図である（サブガイド部材に板ばねが取り付けられた状態）。まず、図１〜図６を参照して、本実施形態による光ディスク装置の光ピックアップ周辺の構造について説明する。
【００２６】
本実施形態による光ディスク装置では、図１に示すように、樹脂製のドライブシャーシ１の所定領域に、回転軸２ａを有するスピンドルモータ２が取り付けられている。このスピンドルモータ２の回転軸２ａには、回転軸２ａと共に回転するように、ＣＤやＤＶＤなどの光ディスク２０が装着されるターンテーブル３が取り付けられている。そして、光ディスク２０の記録面２０ａへのデータの書き込み動作や光ディスク２０の記録面２０ａからのデータの読み出し動作などを行う際には、ターンテーブル３に装着された光ディスク２０が回転される。なお、光ディスク２０は、本発明の「記録媒体」の一例である。
【００２７】
また、ドライブシャーシ１には、メインガイド部材４およびサブガイド部材５が取り付けられている。なお、サブガイド部材５は、本発明の「ガイド部材」の一例である。メインガイド部材４およびサブガイド部材５は、ターンテーブル３（スピンドルモータ２）を挟んで対向するように、かつ、Ａ方向（光ディスク２０の記録面２０ａに対して平行な方向）に沿って延びるように配置されている。また、メインガイド部材４は、金属製の丸棒部材によって構成されているとともに、サブガイド部材５は、金属製の板状部材によって構成されている。
【００２８】
また、ドライブシャーシ１のメインガイド部材４とサブガイド部材５との間の領域には、Ａ方向（光ディスク２０の記録面２０ａに対して平行な方向）に移動可能に構成された光ピックアップ６が搭載されている。この光ピックアップ６は、光ディスク２０の記録面２０ａへのデータの書き込み動作や光ディスク２０の記録面２０ａからのデータの読み出し動作を行う機能を有している。また、光ピックアップ６は、レーザ光を光ディスク２０の記録面２０ａに集光させるための対物レンズ７や、その対物レンズ７が装着されるピックアップベース８などの部品によって構成されている。なお、図示しないが、光ピックアップ６の構成部品としては、対物レンズ７およびピックアップベース８以外に、レーザ光を生成するための半導体レーザや、対物レンズ７を微小移動させるためのアクチュエータなどがある。
【００２９】
また、図１および図２に示すように、ピックアップベース８のメインガイド部材４側には、２つの軸受部８ａが互いに所定の間隔を隔てて一体的に形成されている。そして、丸棒状のメインガイド部材４は、ピックアップベース８の２つの軸受部８ａに挿入されている。その一方、図１、図３および図４に示すように、ピックアップベース８のサブガイド部材５側には、１つの受け部８ｂが一体的に形成されている。このピックアップベース８の受け部８ｂは、図５に示すように、Ｂ方向（光ディスク２０の記録面２０ａに対して垂直な方向）に互いに対向するように配置された２つの内面８ｃおよび８ｄを有するＵ字状に形成されている。なお、内面８ｃおよび８ｄは、それぞれ、本発明の「第１の面」および「第２の面」の一例である。そして、板状のサブガイド部材５の一部は、ピックアップベース８の受け部８ｂの内側に配置されているとともに、受け部８ｂの一方の内面８ｃと当接している。
【００３０】
また、図１に示すように、ドライブシャーシ１のメインガイド部材４側の領域には、ピックアップベース８のメインガイド部材４側に連結されたギア部（図示せず）と、そのギア部に連結されたフィードモータ９とが取り付けられている。すなわち、フィードモータ９の駆動力は、ギア部を介してピックアップベース８のメインガイド部材４側に伝達される。そして、本実施形態では、フィードモータ９の駆動力がピックアップベース８のメインガイド部材４側に伝達されることによって、光ピックアップ６がＡ方向（光ディスク２０の記録面２０ａに対して平行な方向）に往復移動される。また、光ピックアップ６のＡ方向（光ディスク２０の記録面２０ａに対して平行な方向）への往復移動は、メインガイド部材４およびサブガイド部材５によってガイドされる。
【００３１】
ここで、本実施形態では、図３〜図６に示すように、サブガイド部材５に、光ピックアップ６をＢ方向（光ディスク２０の記録面２０ａに対して垂直な方向）に付勢するための板ばね１０が取り付けられている。なお、板ばね１０は、本発明の「付勢部材」の一例である。この板ばね１０は、光ピックアップ６をＢ方向（光ディスク２０の記録面２０ａに対して垂直な方向）に付勢することにより、Ａ方向（光ディスク２０の記録面２０ａに対して平行な方向）に往復移動する光ピックアップ６が振動するのを抑制する機能を有している。
【００３２】
具体的には、板ばね１０は、板状のばね部材を折り曲げることによって形成された２つの付勢部１０ａおよび１０ｂを有している。なお、付勢部１０ａおよび１０ｂは、それぞれ、本発明の「第１付勢部」および「第２付勢部」の一例である。また、板ばね１０の付勢部１０ａの一部は、ピックアップベース８の受け部８ｂの内側に配置されている。そして、板ばね１０の付勢部１０ａの一部によって、ピックアップベース８の受け部８ｂの他方の内面８ｄがＢ方向（光ディスク２０の記録面２０ａに対して垂直な方向）に付勢されている。
【００３３】
また、本実施形態では、板ばね１０の付勢部１０ａは、Ａ方向（光ピックアップ６が往復移動する方向）に沿って連続して延びるように形成されている。このため、光ピックアップ６が所定位置からその所定位置以外の位置に移動したとしても、板ばね１０の付勢部１０ａによるピックアップベース８の受け部８ｂの内面８ｄに対する付勢が連続して行われることになる。なお、板ばね１０の付勢部１０ｂも、Ａ方向（サブガイド部材５が延びる方向）に沿って連続して延びるように形成されている。
【００３４】
また、板ばね１０は、付勢部１０ａと付勢部１０ｂとを一体的に連結するコの字状の連結部１０ｃを有している。そして、板ばね１０は、その連結部１０ｃがサブガイド部材５に圧入されることによって、サブガイド部材５に対して固定されている。なお、板ばね１０がサブガイド部材５に対して固定された状態では、板ばね１０の付勢部１０ａがサブガイド部材５のガイド面５ａとは反対側に配置されるとともに、板ばね１０の付勢部１０ｂがサブガイド部材５のガイド面５ａ側に配置される。
【００３５】
また、本実施形態では、図１に示したメインガイド部材４およびサブガイド部材５は、それぞれ、光ディスク２０の記録面２０ａに対する傾角を調節することが可能なように構成されている。なお、メインガイド部材４（サブガイド部材５）の光ディスク２０の記録面２０ａに対する傾角の調節は、メインガイド部材４（サブガイド部材５）の両端部のＢ方向（光ディスク２０の記録面２０ａに対して垂直な方向）の位置を調節することによって行われる。
【００３６】
具体的には、図２に示すように、メインガイド部材４は、その両端部が調節ねじ１１を介してドライブシャーシ１に取り付けられている。また、メインガイド部材４の両端部には、メインガイド部材４の両端部をＢ方向（光ディスク２０の記録面２０ａに対して垂直な方向）に付勢するためのねじりコイルばね１２が１つずつ嵌め込まれている。そして、メインガイド部材４の光ディスク２０の記録面２０ａに対する傾角の調節は、調節ねじ１１のねじ込み量を調節することにより、ねじりコイルばね１２のたわみ量を調節することによって行われる。また、傾角調節後のメインガイド部材４の両端部のＢ方向（光ディスク２０の記録面２０ａに対して垂直な方向）の位置は、ねじりコイルばね１２の付勢力によって保持される。
【００３７】
その一方、図３および図４に示すように、サブガイド部材５は、その両端部が調節ねじ１３を介してドライブシャーシ１の取り付け部１ａに取り付けられている。また、サブガイド部材５は、そのガイド面５ａが板ばね１０の付勢部１０ｂによってＢ方向（光ディスク２０の記録面２０ａに対して垂直な方向）に付勢された状態となっている。そして、サブガイド部材５の光ディスク２０の記録面２０ａに対する傾角の調節は、調節ねじ１３のねじ込み量を調節することにより、板ばね１０の付勢部１０ｂのたわみ量を調節することによって行われる。また、傾角調節後のサブガイド部材５の両端部のＢ方向（光ディスク２０の記録面２０ａに対して垂直な方向）の位置は、板ばね１０の付勢部１０ｂの付勢力によって保持される。
【００３８】
なお、本実施形態では、ドライブシャーシ１の取り付け部１ａは、サブガイド部材５のガイド面５ａと対向する面を有するように形成されている。そして、サブガイド部材５に取り付けられた板ばね１０の付勢部１０ｂは、サブガイド部材５のガイド面５ａをＢ方向（光ディスク２０の記録面２０ａに対して垂直な方向）に付勢するように、ドライブシャーシ１の取り付け部１ａとサブガイド部材５のガイド面５ａとの間に配置されている。また、サブガイド部材５および板ばね１０は、ドライブシャーシ１の取り付け部１ａに対して調節ねじ１３により共締めされている。
【００３９】
次に、図３を参照して、本実施形態による光ディスク装置の組み付け動作（光ディスク２０の記録面２０ａに対するサブガイド部材５の傾角の調節動作）について説明する。なお、以下の調節動作の説明では、サブガイド部材５を図３のＣ方向に傾ける場合について説明する。また、以下の調節動作の説明では、図３に示した２つの調節ねじ１３のうち、左側の調節ねじ１３を調節ねじ１３ａとするとともに、右側の調節ねじ１３を調節ねじ１３ｂとする。
【００４０】
まず、図３の状態から、調節ねじ１３ａのねじ込み量を調節することにより、調節ねじ１３ａ側における板ばね１０の付勢部１０ｂのたわみ量を大きくする。その一方、調節ねじ１３ｂのねじ込み量を調節することにより、調節ねじ１３ｂ側における板ばね１０の付勢部１０ｂのたわみ量を小さくする。これにより、サブガイド部材５の調節ねじ１３ａ側の端部がＢ１方向に移動するとともに、サブガイド部材５の調節ねじ１３ｂ側の端部がＢ２方向に移動する。すなわち、サブガイド部材５がＣ方向に傾く。
【００４１】
この際、本実施形態では、ピックアップベース８の受け部８ｂを付勢する板ばね１０の付勢部１０ａのたわみ量は、傾角調節前と傾角調節後とでほとんど変化しない。すなわち、本実施形態では、傾角調節前に板ばね１０の付勢部１０ａから光ピックアップ６（ピックアップベース８の受け部８ｂ）に加わる付勢力と、傾角調節後に板ばね１０の付勢部１０ａから光ピックアップ６に加わる付勢力とがほとんど同じである。
【００４２】
本実施形態では、上記のように、ドライブシャーシ１に取り付けられるサブガイド部材５を、光ディスク２０の記録面２０ａに対する傾角を調節することが可能なように構成することによって、光ディスク装置の製造工程において組み付け誤差などが生じたとしても、光ディスク２０の記録面２０ａに対するサブガイド部材５の傾角を調節することができるので、サブガイド部材５にガイドされながらＡ方向（光ディスク２０の記録面２０ａに対して平行な方向）に往復移動する光ピックアップ６の動作不良が発生するのを抑制することができる。この場合、板ばね１０をサブガイド部材５に取り付けるとともに、サブガイド部材５と当接するピックアップベース８の受け部８ｂを板ばね１０で付勢することによって、光ピックアップ６のサブガイド部材５と当接する部分と、光ピックアップ６の板ばね１０に付勢される部分とを近づけることができる。したがって、光ディスク２０の記録面２０ａに対するサブガイド部材５の傾角を調節したとしても、光ピックアップ６に加わる板ばね１０の付勢力が変動するのを抑制することができる。これにより、光ディスク２０の記録面２０ａに対するサブガイド部材５の傾角を調節した場合に、光ピックアップ６に加わる板ばね１０の付勢力が予め設定された値から大きく外れることに起因して、光ピックアップ６の動作不良が発生するという不都合が生じるのを抑制することができる。
【００４３】
また、本実施形態では、上記のように、ピックアップベース８の受け部８ｂを付勢する板ばね１０の付勢部１０ａを、光ピックアップ６が往復移動する方向に沿って連続して延びるように形成することによって、光ピックアップ６が所定位置からその所定位置以外の位置に移動したとしても、板ばね１０の付勢部１０ａによる光ピックアップ６に対する付勢を連続して行うことができる。
【００４４】
また、本実施形態では、上記のように、光ピックアップ６を付勢する付勢部１０ａと、サブガイド部材５の傾角調節のための付勢部１０ｂとを有する板ばね１０を用いることによって、サブガイド部材５の傾角調節のための付勢部材を別途設ける必要がないので、部品点数が増加するのを抑制することができる。
【００４５】
また、本実施形態では、上記のように、ピックアップベース８の受け部８ｂを、互いに対向するように配置された内面８ｃおよび８ｄを有するＵ字状に形成するとともに、ピックアップベース８の受け部８ｂの内面８ｃがサブガイド部材５と当接し、ピックアップベース８の受け部８ｂの内面８ｄが板ばね１０の付勢部１０ａに付勢されるように構成することによって、容易に、ピックアップベース８の受け部８ｂをサブガイド部材５と当接させながら、ピックアップベース８の受け部８ｂを板ばね１０の付勢部１０ａで付勢することができる。また、光ピックアップ６のサブガイド部材５と当接する部分と、光ピックアップ６の板ばね１０に付勢される部分とを容易に近づけることができる。
【００４６】
また、本実施形態では、サブガイド部材５と板ばね１０とを調節ねじ１３により共締めすることができるので、組み付け作業を容易に行うことができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、光ピックアップのサブガイド部材側を付勢部材により付勢するようにしたが、本発明はこれに限らず、光ピックアップのメインガイド部材側を付勢部材により付勢することが可能なように構成してもよい。また、光ピックアップのサブガイド部材側およびメインガイド部材側の両方を付勢部材により付勢することが可能なように構成してもよい。
【００４９】
また、上記実施形態では、板状部材からなるサブガイド部材を用いたが、本発明はこれに限らず、光ピックアップをガイドすることができ、かつ、光ピックアップを付勢する付勢部材を取り付けることが可能であれば、板状以外の形状を有する部材からなるガイド部材を用いてもよい。
【００５０】
また、上記実施形態では、樹脂製のドライブシャーシを用いたが、本発明はこれに限らず、金属製のドライブシャーシを用いてもよい。
【図面の簡単な説明】
【００５１】
【図１】本発明の一実施形態による光ディスク装置の光ピックアップ周辺の構造を示した平面図である。
【図２】図１の５０−５０線に沿った断面図である。
【図３】図１の６０−６０線に沿った断面図である。
【図４】図３に示した光ピックアップの受け部周辺の拡大図である。
【図５】図１の７０−７０線に沿った断面図である。
【図６】図１に示した一実施形態による光ディスク装置の光ピックアップをガイドするサブガイド部材の斜視図である（サブガイド部材に板ばねが取り付けられた状態）。
【図７】従来の光ディスク装置の光ピックアップ周辺の構造を示した平面図である。
【図８】図７の１５０−１５０線に沿った断面図である。
【図９】図７の１６０−１６０線に沿った断面図である。
【図１０】図７の１７０−１７０線に沿った断面図である。
【図１１】従来の問題点を説明するための図である。
【符号の説明】
【００５２】
１  ドライブシャーシ
３  ターンテーブル
５  サブガイド部材（ガイド部材）
６  光ピックアップ
８ｂ  受け部
８ｃ  内面（第１の面）
８ｄ  内面（第２の面）
１０  板ばね（付勢部材）
１０ａ  付勢部（第１付勢部）
１０ｂ  付勢部（第２付勢部）
２０  光ディスク（記録媒体）
２０ａ  記録面
【図１】
2008090928.tif 000003
【図２】
2008090928.tif 000004
【図３】
2008090928.tif 000005
【図４】
2008090928.tif 000006
【図５】
2008090928.tif 000007
【図６】
2008090928.tif 000008
【図７】
2008090928.tif 000009
【図８】
2008090928.tif 000010
【図９】
2008090928.tif 000011
【図１０】
2008090928.tif 000012
【図１１】
2008090928.tif 000013